(57)【特許請求の範囲】
【請求項１】
アニオン性界面活性剤系を含む洗剤組成物であって、
前記アニオン性界面活性剤系は、
ｉ）式Ｒ１−Ｏ−ＳＯ３−Ｍ＋のアルキルサルフェート系界面活性剤であって、Ｒ１は直鎖又は分枝鎖、置換又は非置換Ｃ１０〜Ｃ１６アルキルであり、かつＭ＋はプロトンであるか又は電気的中性をもたらすカチオンである、アルキルサルフェート系界面活性剤、及び
ｉｉ）平均エトキシル化度０．５〜３を有し、プロトン又は電気的中性をもたらすカチオンを有する、直鎖又は分枝鎖、置換又は非置換、Ｃ１０〜Ｃ１６アルコールエトキシサルフェート系界面活性剤；を含み、
前記アニオン性界面活性剤系が、エトキシル化度０を有する種を、アニオン性界面活性剤系の重量に基き、４５重量％〜７０重量％含み、エトキシル化度２を有する種を、アニオン性界面活性剤系の重量に基き、７重量％〜１５重量％含む、異なる界面活性剤種の混合物を含む、洗剤組成物。
【請求項２】
前記アニオン性界面活性剤系が、エトキシル化度１を有する種を、アニオン性界面活性剤系の重量に基き、１４重量％〜２６重量％含む、異なる界面活性剤種の混合物を含む、請求項１に記載の洗剤組成物。
【請求項３】
前記アニオン性界面活性剤系が、アニオン性界面活性剤系の重量に基き、エトキシル化度０を有する種を４５重量％〜７０重量％、エトキシル化度１を有する種を１４重量％〜２６重量％、エトキシル化度２を有する種を７重量％〜１５重量％、エトキシル化度３を有する種を４重量％〜８重量％、エトキシル化度４を有する種を２重量％〜５重量％、エトキシル化度５を有する種を１重量％〜３重量％、並びにエトキシル化度６を有する種を０．５重量％〜１．５重量％含む異なる界面活性剤種の混合物を含む、請求項１または２に記載の洗剤組成物。
【請求項４】
（ｉ）対（ｉｉ）比が、１：１〜５：１である、請求項１〜３のいずれか一項に記載の洗剤組成物。
【請求項５】
前記洗剤組成物が、該洗剤組成物の重量に基き、０．５重量％〜２０重量％のアニオン性界面活性剤系を含む、請求項１〜４のいずれか一項に記載の洗剤組成物。
【請求項６】
前記洗剤組成物の重量に基き、０重量％〜２０重量％のリン酸及び／又はゼオライトビルダーを含む、請求項１〜５のいずれか一項に記載の洗剤組成物。
【請求項７】
前記洗剤組成物が酵素を含み、該酵素がリパーゼであり、前記リパーゼが、変異Ｔ２３１Ｒ及びＮ２３３Ｒを含む、サーモミセス・ラヌギノーサス（Thermomyces lanuginosus）野生型リパーゼの変異体である、請求項１〜６のいずれか一項に記載の洗剤組成物。
【請求項８】
前記洗剤組成物がポリマー分散剤を含み、該ポリマー分散剤が、５００〜１００，０００の分子量を有するポリエチレングリコール（ＰＥＧ）である、請求項１〜７のいずれか一項に記載の洗剤組成物。
【請求項９】
前記洗剤組成物が光沢剤を含み、該光沢剤が、Ｃ．Ｉ．蛍光増白剤２６０であり、かつ（ｉ）α−結晶質形態であり、該α−結晶質形態が微紛化粒子形態であり、重量平均一時粒径３〜３０マイクロメートルであるか、又は（ｉｉ）β−結晶室形態であるか、又は（ｉｉｉ）これらの混合物である、請求項１〜８のいずれか一項に記載の洗剤組成物。
【請求項１０】
前記洗剤組成物が固体形態である、請求項１〜９のいずれか一項に記載の洗剤組成物。
【請求項１１】
前記洗剤組成物が布地色相剤を含み、該布地色相剤が、ダイレクトブルー、ダイレクトレッド、ダイレクトバイオレット、アシッドブルー、アシッドレッド、アシッドバイオレット、ベーシックブルー、ベーシックバイオレット、及びベーシックレッド、又はこれらの混合物のカラーインデックス（Ｃ．Ｉ．）分類に当てはまる染料類からなる群から選択される小分子染料である、請求項１〜１０のいずれか一項に記載の洗剤組成物。
【請求項１２】
布地の洗濯法であって、請求項１〜１１のいずれか一項に記載の洗剤組成物をみずに加えて洗浄液を生成する工程と、該洗浄液に布地を入れる工程とを含む、洗濯法。
【請求項１３】
油染みを含む布地を洗濯する際の、洗剤組成物の使用であって、
前記洗剤組成物が、請求項１〜１１のいずれか一項に記載の洗剤組成物である、使用。
【発明の詳細な説明】
【技術分野】
【０００１】
本発明は、洗浄中の布地からの油染み除去の改善を示すアニオン性界面活性剤系を含む、洗剤組成物に関する。
【背景技術】
【０００２】
アニオン性界面活性剤は、それらのもつ洗濯洗剤特性が知られており、したがって、洗浄中に布地の汚れを除去する目的で、幾年にもわたって洗濯洗剤組成物に使用されてきた。
【発明の概要】
【発明が解決しようとする課題】
【０００３】
幅広い範囲の汚れを除去するために、アニオン性界面活性剤が使用されているものの、油染み除去性の改善が必要とされている。
【０００４】
洗剤組成物に使用されるアニオン性界面活性剤は、大きく、アルキルサルフェート系界面活性剤及びアルコールエトキシサルフェート系界面活性剤の２種に分類される。これら２種の界面活性剤は、アルキル鎖長、並びにエトキシル化度がいずれも異なっている。
【０００５】
本発明者らは、現在までに、驚くべきことに、特定のアルキル鎖長を有するある種のアルキルサルフェート系界面活性剤並びに特定のアルキル鎖長及び特定のエトキシル化度を有するある種のアルコールエトキシサルフェート系界面活性剤を含むアニオン性界面活性剤系を含む洗剤組成物により、洗浄中の布地からの油染み除去の改善がもたらされることを見出している。
【課題を解決するための手段】
【０００６】
本発明は、アニオン性界面活性剤系を含む洗剤組成物に関するものであり、アニオン性界面活性剤系は、
ｉ）式Ｒ１−Ｏ−ＳＯ３−Ｍ＋のアルキルサルフェート系界面活性剤であって、Ｒ１は直鎖又は分枝鎖、置換又は非置換、所望によりアルコキシル化Ｃ１０〜Ｃ１６アルキルであり、かつＭ＋はプロトンであるか又は電気的中性をもたらすカチオンである、アルキルサルフェート系界面活性剤、及び
ｉｉ）平均エトキシル化度０．５〜３を有し、プロトン又は電気的中性をもたらすカチオンを有する、直鎖又は分枝鎖、置換又は非置換、Ｃ１０〜Ｃ１６アルコールエトキシサルフェート系界面活性剤、を含む。
【０００７】
本発明の別の態様は、布地の洗濯法に関するものであり、方法は、本発明の洗剤組成物を水に加えて洗浄液を調製する工程と、布地を洗浄液に入れる工程と、を含む。
【０００８】
本発明の更に別の態様は、油染みを含む布地を洗濯する際に本発明の洗剤を使用するものである。
【発明を実施するための形態】
【０００９】
アニオン性界面活性剤系
本発明の洗剤組成物は、式Ｒ１−Ｏ−ＳＯ３−Ｍ＋のアルキルサルフェート系界面活性剤であって、Ｒ１は直鎖又は分枝鎖、置換又は非置換、所望によりアルコキシル化Ｃ１０〜Ｃ１６アルキルであり、かつＭ＋はプロトンであるか又は電気的中性をもたらすカチオンであるアルキルサルフェート系界面活性剤（以降、アルキルサルフェート系界面活性剤と呼ぶ）、並びに平均エトキシル化度０．５〜３を有し、プロトン又は電気的中性をもたらすカチオンを有する、直鎖又は分枝鎖、置換又は非置換、Ｃ１０〜Ｃ１６アルコールエトキシサルフェート系界面活性剤（以降、アルコールエトキシサルフェート系界面活性剤と呼ぶ）を含む、アニオン性界面活性剤系を含む。
【００１０】
本発明の一実施形態に従うと、アルキルサルフェート系界面活性剤はアルコキシル化されていない。アルキルサルフェートがアルコキシル化されていない場合、高濃度のアルキルサルフェートを得ることができる。本発明の組成物には、アルコキシル化された、例えば、エトキシル化及び／又はプロピルオキシ化されたアルキルサルフェート系界面活性剤（複数可）を含有させることもできる。本発明の組成物は、非アルコキシル化及びアルコキシル化アルキルサルフェート系界面活性剤の両方を含有させることもできる。
【００１１】
Ｍ＋は、ナトリウム、カルシウム、カリウム、又はマグネシウムカチオンなどのプロトン又はカチオンであってよく、特に、ナトリウムカチオンであってよい。
【００１２】
アルキルサルフェート系界面活性剤は、鎖長の異なる（Ｃ１０〜Ｃ１６の範囲）複数種を含む。これらの異なる種類の界面活性剤はエトキシル化されていてもよく、及び０〜６の範囲で異なるエトキシル化度を有していてもよい。
【００１３】
アルコールエトキシサルフェート系界面活性剤は、鎖長が異なる（Ｃ１０〜Ｃ１６の範囲）だけでなく、エトキシル化度も異なる（０〜６の範囲）複数種を含む。しかしながら、存在する種の平均エトキシル化度は０．５〜３であり、好ましくは１〜２．５である。
【００１４】
好適なプロトン又は電気的中性をもたらすカチオンとしては、ナトリウム、カルシウム、カリウム、又はマグネシウムカチオンが挙げられ、特に、ナトリウムカチオンが挙げられる。
【００１５】
理論に束縛されることを望むものではないが、これらのある種の２種の界面活性剤を含むアニオン性界面活性剤系を含む洗剤組成物は、洗浄中の布地からの油染み除去の改善を示すものと考えられる。
【００１６】
アニオン性界面活性剤系は、異なるエトキシル化度を有し、かつ異なる鎖長も有する、異なる界面活性剤種の混合物（アルキルサルフェート系界面活性剤、及びアルコールエトキシサルフェート系界面活性剤のいずれもで異なっている）を含む。好ましくは、アニオン性界面活性剤系の重量に基づき、存在する種のうち４５重量％〜７０重量％がエトキシル化度０を有し、存在する種のうち１４重量％〜２６重量％がエトキシル化度１を有し、存在する種のうち７重量％〜１５重量％がエトキシル化度２を有し、存在する種のうち４重量％〜８重量％がエトキシル化度３を有し、存在する種のうち２重量％〜５重量％がエトキシル化度４を有し、存在する種のうち１重量％〜３重量％がエトキシル化度５を有し、及び存在する種のうち０．５重量％〜１．５重量％がエトキシル化度６を有する。
【００１７】
一実施形態では、アニオン性界面活性剤系は、エトキシル化度０を有する種を、アニオン性界面活性剤系の重量に基づき４５重量％〜７０重量％含む、異なる界面活性剤種の混合物を含む。
【００１８】
別の実施形態では、アニオン性界面活性剤系は、エトキシル化度１を有する種を、アニオン性界面活性剤系の重量に基づき１４重量％〜２６重量％含む、異なる界面活性剤種の混合物を含む。
【００１９】
更に別実施形態では、アニオン性界面活性剤系は、エトキシル化度２を有する種を、アニオン性界面活性剤系の重量に基づき７重量％〜１５重量％含む、異なる界面活性剤種の混合物を含む。
【００２０】
一実施形態では、アニオン性界面活性剤系は、異なる界面活性剤種の混合物を含み、界面活性剤種のうち６５重量％〜７５重量％の界面活性剤種はＣ１２のアルキル鎖長を有する。好ましくは、Ｃ１２界面活性剤種は、エトキシル化度が異なる界面活性剤種を含み、Ｃ１２種のうち６５重量％〜６７重量％がエトキシル化度０を有し、Ｃ１２種のうち１５重量％〜１７重量％がエトキシル化度１を有し、Ｃ１２種のうち８重量％〜１０重量％がエトキシル化度２を有し、Ｃ１２種のうち４重量％〜６重量％がエトキシル化度３を有し、Ｃ１２種のうち２重量％〜４重量％がエトキシル化度４を有し、Ｃ１２種のうち０．５重量％〜２重量％がエトキシル化度５を有する。
【００２１】
一実施形態では、アニオン性界面活性剤系は、異なる界面活性剤種の混合物を含み、界面活性剤種のうち２２重量％〜３０重量％の界面活性剤種はＣ１４のアルキル鎖長を有する。好ましくは、Ｃ１４界面活性剤種は、エトキシル化度が異なる界面活性剤種を含み、Ｃ１４種のうち６３重量％〜６５重量％がエトキシル化度０を有し、Ｃ１４種のうち１４重量％〜１６重量％がエトキシル化度１を有し、Ｃ１４種のうち９重量％〜１１重量％がエトキシル化度２を有し、Ｃ１４種のうち４重量％〜６重量％がエトキシル化度３を有し、Ｃ１４種のうち２重量％〜３．５重量％がエトキシル化度４を有し、かつＣ１４種のうち２重量％〜３．５重量％がエトキシル化度５を有する。
【００２２】
別の実施形態では、アニオン性界面活性剤系の重量に基づき０．１重量％〜０．３重量％は、Ｃ１０の鎖長を有しかつエトキシル化度０を有する界面活性剤種を含み；アニオン性界面活性剤系の重量に基づき４０重量％〜５０重量％は、Ｃ１２の鎖長を有しかつエトキシル化度０を有する界面活性剤種を含み；アニオン性界面活性剤系の重量に基づき１０重量％〜２０重量％は、Ｃ１４の鎖長を有しかつエトキシル化度０を有する界面活性剤種を含み；アニオン性界面活性剤系の重量に基づき１．５重量％〜５重量％は、Ｃ１６の鎖長を有しかつエトキシル化度０を有する界面活性剤種を含み；アニオン性界面活性剤系の重量に基づき８重量％〜１４重量％は、Ｃ１２の鎖長を有しかつエトキシル化度１を有する界面活性剤種を含み；アニオン性界面活性剤系の重量に基づき２重量％〜６重量％は、Ｃ１４の鎖長を有しかつエトキシル化度１を有する界面活性剤種を含み；アニオン性界面活性剤系の重量に基づき０．５重量％〜１重量％は、Ｃ１６の鎖長を有しかつエトキシル化度１を有する界面活性剤種を含み；アニオン性界面活性剤系の重量に基づき４重量％〜８重量％は、Ｃ１２の鎖長を有しかつエトキシル化度２を有する界面活性剤種を含み；アニオン性界面活性剤系の重量に基づき１重量％〜４重量％は、Ｃ１４の鎖長を有しかつエトキシル化度２を有する界面活性剤種を含み；アニオン性界面活性剤系の重量に基づき０．５重量％〜１重量％は、Ｃ１６の鎖長を有しかつエトキシル化度２を有する界面活性剤種を含み；アニオン性界面活性剤系の重量に基づき２重量％〜５重量％は、Ｃ１２の鎖長を有しかつエトキシル化度３を有する界面活性剤種を含み；アニオン性界面活性剤系の重量に基づき０．５重量％〜３重量％は、Ｃ１４の鎖長を有しかつエトキシル化度３を有する界面活性剤種を含み；アニオン性界面活性剤系の重量に基づき１重量％〜３重量％は、Ｃ１２の鎖長を有しかつエトキシル化度４を有する界面活性剤種を含み；アニオン性界面活性剤系の重量に基づき０．５重量％〜１．５重量％は、Ｃ１４の鎖長を有しかつエトキシル化度４を有する界面活性剤種を含み；アニオン性界面活性剤系の重量に基づき０．５重量％〜１．５重量％は、Ｃ１２の鎖長を有しかつエトキシル化度５を有する界面活性剤種を含み；アニオン性界面活性剤系の重量に基づき０．５重量％〜１．５重量％は、Ｃ１４の鎖長を有しかつエトキシル化度５を有する界面活性剤種を含む。
【００２３】
理論に束縛されることを望むものではないが、アニオン性界面活性剤系内の界面活性剤種のアルキル鎖長及びエトキシル化度が、ある種の総合的な分布を有することで、洗浄中の布地からの油染み除去の改善がもたらされると考えられる。
【００２４】
一実施形態では、アルキルサルフェート系界面活性剤対アルコールエトキシサルフェート系界面活性剤比は１：１〜５：１である。別の実施形態では、アルキルサルフェート系界面活性剤対アルコールエトキシサルフェート系界面活性剤比は１：１〜３：１である。
【００２５】
好ましくは、洗剤組成物は、洗剤組成物の重量に基づき、０．５重量％〜２０重量％、好ましくは、１重量％〜１０重量％、更により好ましくは、１．５重量％〜５重量％、最も好ましくは、２重量％〜４重量％のアニオン性界面活性剤系を含む。
【００２６】
その他の界面活性剤
本発明の洗剤組成物には、１つ以上の追加の界面活性剤（複数可）を含有させることもできる。追加の界面活性剤（複数可）は、非イオン性界面活性剤、他のアニオン性界面活性剤、カチオン性界面活性剤、両性界面活性剤、双極性界面活性剤、半極性非イオン性界面活性剤、及びこれらの混合物から選択することができる。
【００２７】
非イオン性洗浄性界面活性剤−本発明の洗剤組成物には、非イオン性界面活性剤を含有させることもできる。非イオン性洗浄性界面活性剤（複数可）は、存在する場合、一般に、洗剤組成物の０．５〜２０重量％、又は２重量％〜４重量％の量で存在する。
【００２８】
非イオン性の洗剤力のある界面活性剤は、アルキルポリグルコシド及び／又はアルキルアルコキシレートアルコール；ＳｈｅｌｌからのＮＥＯＤＯＬ（登録商標）非イオン性界面活性剤などのＣ１２〜Ｃ１８アルキルエトキシレート；アルコキシレート単位がエチレンオキシ単位、プロピレンオキシ単位又はその混合物である、Ｃ６〜Ｃ１２アルキルフェノールアルコキシレート；ＢＡＳＦからのＰｌｕｒｏｎｉｃ（登録商標）などのＣ１２〜Ｃ１８アルコール及びＣ６〜Ｃ１２アルキルフェノールのエチレンオキシド／プロピレンオキシドブロックポリマーとの縮合体；米国特許第６，１５０，３２２号により詳細が記載されるようなＣ１４〜Ｃ２２中鎖分枝状アルコール、ＢＡ、米国特許第６，１５３，５７７号、同第６，０２０，３０３号及び同第６，０９３，８５６号により詳細が記載されるような、Ｃ１４〜Ｃ２２中鎖分枝状アルキルアルコキシレート、ＢＡＥｘであって、式中、ｘ＝１〜３５であるもの；米国特許第４，５６５，６４７号により詳細が記載されるようなアルキルセルロース、特に米国特許第４，４８３，７８０号及び同第４，４８３，７７９号により詳細が記載されるようなアルキルポリグリコシド；米国特許第５，３３２，５２８号、国際公開特許９２／０６１６２、同第９３／１９１４６、同第９３／１９０３８、及び同第９４／０９０９９に詳細が記載されるようなポリヒドロキシ脂肪酸アミド；米国特許第６，４８２，９９４号及び国際公開特許第０１／４２４０８により詳細が記載されるようなエーテルでキャップされたポリ（オキシアルキル化）アルコール界面活性剤；及びそれらの混合物からなる群から選択することができる。
【００２９】
カチオン性洗浄性界面活性剤−洗剤組成物には、カチオン性洗浄性界面活性剤を含有させることもできる。存在する場合、典型的には、洗剤組成物は、洗剤組成物の重量に基づき、０．１重量％〜１０重量％、又は１重量％〜２重量％のカチオン性洗浄性界面活性剤を含む。
【００３０】
好適なカチオン性洗浄界面活性剤は、アルキルピリジニウム化合物、アルキル四級アンモニウム化合物、アルキル四級ホスホニウム化合物、及びアルキル三級スルホニウム化合物である。カチオン性洗浄界面活性剤は、米国特許第６，１３６，７６９号においてより詳細に記載されているようなアルコキシラート第四級アンモニウム（ＡＱＡ）界面活性剤、米国特許第６，００４，９２２号においてより詳細に記載されているようなジメチルヒドロキシエチル四級アンモニウム界面活性剤、国際公開特許第９８／３５００２号、同第９８／３５００３号、同第９８／３５００４号、同第９８／３５００５号及び同第９８／３５００６号においてより詳細に記載されているようなポリアミンカチオン性界面活性剤、米国特許第４，２２８，０４２号、米国特許第４，２３９，６６０号、米国特許第４，２６０，５２９号、及び米国特許第６，０２２，８４４号においてより詳細に記載されているようなカチオン性エステル界面活性剤、米国特許第６，２２１，８２５号及び国際公開第００／４７７０８号においてより詳細に記載されているようなアミノ界面活性剤、特にアミドプロピルジメチルアミン、並びにこれらの混合物からなる群より選択することができる。
【００３１】
非常に好ましいカチオン性洗浄界面活性剤は、モノ−Ｃ８〜１０アルキルモノヒドロキシエチルジメチル四級アンモニウムクロライド、モノ−Ｃ１０〜１２アルキルモノヒドロキシエチルジメチル四級アンモニウムクロライド、及びモノ−Ｃ１０アルキルモノヒドロキシエチルジメチル四級アンモニウムクロライドである。Ｐｒａｅｐａｇｅｎ  ＨＹ（Ｃｌａｒｉａｎｔの商品名）などのカチオン性界面活性剤は、有用であり得、起泡促進剤としても有用であり得る。
【００３２】
二級アルコール系洗浄性界面活性剤−好ましくは、洗剤組成物は、式；
【化１】
0005890029.tif 000002
を有する二級アルコール系洗浄性界面活性剤を含み、
式中、Ｒ１は、直鎖又は分枝鎖、置換又は非置換、飽和又は不飽和の、Ｃ２〜８アルキルであり、
Ｒ２は、直鎖又は分枝鎖、置換又は非置換、飽和又は不飽和の、Ｃ２〜８アルキルであり、
Ｒ１＋Ｒ２部分に存在する炭素原子の総数は７〜１３の範囲内であり、
ＥＯ／ＰＯは、エトキシ、プロポキシ、又はこれらの混合物から選択されるアルコキシ部分であり、好ましくはＥＯ／ＰＯアルコキシ部分はランダム又はブロック構造であり、
ｎは、平均アルコキシル化度であり、４〜１０の範囲にある。
【００３３】
好ましくは、洗剤組成物は、式；
【化２】
0005890029.tif 000003
を有する一級アルコール系洗浄性界面活性剤を含み、
式中、Ｒ１は、直鎖又は分枝鎖、置換又は非置換、飽和又は不飽和の、Ｃ１０〜１８アルキルであり、
ＥＯ／ＰＯは、エトキシ、プロポキシ、又はこれらの混合物から選択されるアルコキシ部分であり、好ましくはＥＯ／ＰＯアルコキシ部分はランダム又はブロック構造であり、
ｎは、平均アルコキシル化度であり、４〜１０の範囲にある。
【００３４】
ビルダー
洗濯洗剤成分は１つ以上のビルダーを含み得る。ビルダーが使用される場合、洗剤組成物は、洗剤組成物の重量に基づき、典型的には、１重量％〜約４０重量％、典型的には、２〜２５重量％、又は更には約５重量％〜約２０重量％、又は８〜１５重量％のビルダーを含む。
【００３５】
本発明の洗剤組成物には、洗剤組成物の重量に基づき、０重量％〜２０重量％、特に、１５重量％未満又は１０重量％未満、あるいは５重量％未満のゼオライトを含有させることもできる。詳細には、洗剤組成物には、洗剤組成物の重量に基づき、０重量％〜２０重量％、特に、１５重量％未満又は１０重量％未満、あるいは５重量％未満のアルミノケイ酸塩ビルダー（複数可）を含有させることもできる。
【００３６】
本発明の洗剤成分には、洗剤組成物の重量に基づき、０〜２０％、特に１５％又は１０％未満の、例えば５％未満のリン酸塩ビルダー及び／又はケイ酸塩ビルダー及び／又はゼオライトビルダーを含有させることもできる。
【００３７】
本発明の洗剤成分には、洗剤組成物の重量に基づき、０〜２０％、特に１５％又は１０％未満、例えば５％未満のリン酸塩ビルダー及び／又はゼオライトビルダーを含有させることもできる。
【００３８】
本発明の洗剤組成物には、洗剤組成物の重量に基づき、０〜２０重量％、特に、１５重量％未満又は１０重量％未満、例えば、５重量％未満の炭酸ナトリウムを含有させることもできる。
【００３９】
ビルダーとしては、限定はされないが、ポリリン酸のアルカリ金属、アンモニウム及びアルカノールアンモニウム塩、ケイ酸のアルカリ金属塩、Ｃｌａｒｉａｎｔ（登録商標）のＳＫＳ−６などの層状ケイ酸塩、炭酸のアルカリ土類金属塩及びアルカリ金属塩、ゼオライトなどのアルミノケイ酸塩ビルダー、及びポリカルボン酸塩化合物、エーテルヒドロキシポリカルボン酸塩、マレイン酸無水物とエチレン又はビニルメチルエーテルとの共重合体、１，３，５−トリヒドロキシベンゼン−２，４，６−トリスルホン酸、及びカルボキシメチルオキシコハク酸、脂肪酸、エチレンジアミン四酢酸及びニトリロ三酢酸などのさまざまなポリ酢酸のアルカリ金属、アンモニウム及び置換アンモニウム塩、と同様にメリト酸、コハク酸、クエン酸、オキシジコハク酸、ポリマレイン酸、ベンゼン１，３，５−トリカルボン酸、カルボキシメチルオキシコハク酸などのポリカルボン酸塩、及びそれらの可溶性塩が挙げられる。
【００４０】
洗濯洗剤成分のリン酸塩ビルダー（複数可）、アルミノケイ酸塩ビルダー（複数可）、ポリカルボン酸ビルダー（複数可）、及び追加的のケイ酸塩ビルダー（複数可）の合計量は、洗剤組成物の重量に基づき、０〜２５重量％、又は更に１〜２０重量％、特に１〜１５重量％、特に２〜１０重量％、例えば３〜５重量％であり得る。
【００４１】
洗剤組成物には、他の任意の補助的なビルダー（複数可）、キレート化剤（複数可）、又は例えば、金属イオン封鎖、錯体形成、沈殿又はイオン交換により溶液からカルシウムイオンを除去する任意のものを更に含有させることもできる。特に本組成物は、２５℃の温度下で、０．１Ｍのイオン強度で、少なくとも５０ｍｇ／ｇのカルシウム結合能力、及び少なくとも３．５０のカルシウム結合定数、ｌｏｇ  Ｋ  Ｃａ２＋を有する物質を含み得る。
【００４２】
本発明の洗剤組成物では、カルシウム結合能力を有するリン酸塩ビルダー（複数可）、アルミノケイ酸塩ビルダー（複数可）、ポリカルボン酸ビルダー（複数可）、追加のケイ酸塩ビルダー（複数可）、及びその他の材料（複数可）は、組成物中、総量が５０ｍｇ／ｇ超であり、かつカルシウム結合定数が３．５０超であり、洗剤組成物の重量に基づき、０〜２５重量％、又は更には１〜２０重量％、特に、１〜１５重量％、特に２〜１０重量％、例えば、３〜５重量％を構成する。
【００４３】
ポリエチレングリコールポリマー
一実施形態では、本発明の洗剤組成物はポリエチレングリコールポリマーを含む。好適なポリエチレングリコールポリマーとしては、（ｉ）ポリエチレングリコールを含む親水性の主鎖、並びに（ｉｉ）Ｃ４〜Ｃ２５アルキル基、ポリプロピレン、ポリブチレン、飽和Ｃ１〜Ｃ６モノカルボン酸のビニルエステル、アクリル酸若しくはメタクリル酸のＣ１〜Ｃ６アルキルエステル、及びこれらの混合物からなる群から選択される疎水性の側鎖（複数可）、を含む、ランダムグラフトコポリマーが挙げられる。好適なポリエチレングリコールポリマーは、ランダムグラフト重合ポリビニルアセテート側鎖を有するポリエチレングリコール主鎖を有する。このポリエチレングリコール主鎖の平均分子量は、２，０００Ｄａ〜２０，０００Ｄａ、又は４，０００Ｄａ〜８，０００Ｄａの範囲内とすることができる。ポリエチレングリコール主鎖とポリビニルアセテート側鎖との分子量の比率は、１：１〜１：５、又は１：１．２〜１：２の範囲内とすることができる。エチレンオキシドの単位当りのグラフト部位の平均数は、１未満、又は０．８未満とすることができ、エチレンオキシド単位当りのグラフト部位の平均数は、０．５〜０．９の範囲内とすることができ、あるいはエチレンオキシドの単位当りのグラフト部位の平均数は、０．１〜０．５、又は０．２〜０．４の範囲内とすることができる。好適なポリエチレングリコールポリマーは、Ｓｏｋａｌａｎ  ＨＰ２２である。
【００４４】
セルロース性ポリマー
一実施形態では、洗剤組成物には、セルロース系ポリマーを含有させることもできる。好ましくは、セルロース系ポリマーは、アルキルセルロース、アルキルアルコキシアルキルセルロース、カルボキシアルキルセルロース、及びこれらの任意の組み合わせを含む群から選択される。好適なセルロース系ポリマーは、カルボキシメチルセルロース、メチルセルロース、メチルヒドロキシエチルセルロース、メチルカルボキシメチルセルロース、及びこれらの混合物から選択される。カルボキシメチルセルロースは、０．５〜０．９のカルボキシメチル置換度、及び１００，０００Ｄａ〜３００，０００Ｄａの分子量を有し得る。別の好適なセルロース系ポリマーは、Ｆｉｎｎｆｉｘ  ＳＨ−１（ＣＰ  Ｋｅｌｃｏ）などの、疎水変性カルボキシメチルセルロースである。
【００４５】
他の好適なセルロース系ポリマーは、０．０１〜０．９９の置換度（ＤＳ）、及びＤＳ＋ＤＢが少なくとも１．００であるか、若しくはＤＢ＋２ＤＳ−ＤＳ２が少なくとも１．２０であるような置換度（ＤＳ）を有し得る。置換セルロース系ポリマーは、少なくとも０．５５の置換度（ＤＳ）を有し得る。置換セルロース系ポリマーは、少なくとも０．３５のブロック度（ＤＢ）を有し得る。置換セルロース系ポリマーは、１．０５〜２．００のＤＳ＋ＤＢを有し得る。好適な置換セルロース系ポリマーは、カルボキシメチルセルロースである。
【００４６】
別の好適な置換セルロース系ポリマーは、カチオン変性ヒドロキシエチルセルロースである。
【００４７】
色調剤
本発明の洗剤組成物には、色調剤を含有させることもできる。色調剤（本明細書では、色調染料としても定義される）は、典型的には、布地の白色度の知覚を改善するために、洗浄液から布地上に付着するように配合される。色調剤は、典型的には、青又は紫である。色調染料（複数可）は、５５０ｎｍ〜６５０ｎｍ、又は５７０ｎｍ〜６３０ｎｍのピーク吸収波長を有することが好適であり得る。色調剤は、ポリエステル上で５５０ｎｍ〜６５０ｎｍ、又は５７０ｎｍ〜６３０ｎｍのピーク吸収波長を有する単一染料として、人間の目に対して一体となって視覚効果を及ぼす、染料の組み合わせとすることができる。これは、例えば、赤と緑−青の染料とを混合して、青又は紫の色合いを生じさせることにより、提供され得る。
【００４８】
染料は、典型的には、界面活性剤を含む水性媒体中に可溶性である、有色の有機分子である。染料は、塩基性染料、酸性染料、疎水性染料、直接染料、及び高分子染料、並びに染料結合体の部類から選択することができる。好適なポリマー色調染料は、例えば、Ｍｉｌｌｉｋｅｎ（Ｓｐａｒｔａｎｂｕｒｇ，Ｓｏｕｔｈ  Ｃａｒｏｌｉｎａ，ＵＳＡ）から市販されている。
【００４９】
好適な染料の例は、バイオレットＤＤ、ダイレクトバイオレット７、ダイレクトバイオレット９、ダイレクトバイオレット１１、ダイレクトバイオレット２６、ダイレクトバイオレット３１、ダイレクトバイオレット３５、ダイレクトバイオレット４０、ダイレクトバイオレット４１、ダイレクトバイオレット５１、ダイレクトバイオレット６６、ダイレクトバイオレット９９、アシッドバイオレット５０、アシッドブルー９、アシッドバイオレット１７、アシッドブラック１、アシッドレッド１７、アシッドブルー２９、ソルベントバイオレット１３、ディスパースバイオレット２７、ディスパースバイオレット２６、ディスパースバイオレット２８、ディスパースバイオレット６３、及びディスパースバイオレット７７、ベーシックブルー１６、ベーシックブルー６５、ベーシックブルー６６、ベーシックブルー６７、ベーシックブルー７１、ベーシックブルー１５９、ベーシックバイオレット１９、ベーシックバイオレット３５、ベーシックバイオレット３８、ベーシックバイオレット４８；ベーシックブルー３、ベーシックブルー７５、ベーシックブルー９５、ベーシックブルー１２２、ベーシックブルー１２４、ベーシックブルー１４１、チアゾリウム染料、リアクティブブルー１９、リアクティブブルー１６３、リアクティブブルー１８２、リアクティブブルー９６、Ｌｉｑｕｉｔｉｎｔ（登録商標）Ｖｉｏｌｅｔ  ＣＴ（Ｍｉｌｌｉｋｅｎ（Ｓｐａｒｔａｎｂｕｒｇ，ＵＳＡ））及びアゾ−ＣＭ−セルロース（Ｍｅｇａｚｙｍｅ（Ｂｒａｙ、Ｉｒｅｌａｎｄ））である。他の好適な色調剤は、スルホン化フタロシアニン亜鉛とダイレクトバイオレット９９との結合体などの、色調染料−光漂白結合体である。特に好適な色調剤は、アシッドレッド５２とアシッドブルー８０との組み合わせ、又はダイレクトバイオレット９とソルベントバイオレット１３との組み合わせである。
【００５０】
光沢剤
一実施形態では、本発明の洗剤組成物は、光沢剤を含む。好適な光沢剤は、光沢剤１５などの、スチルベンである。他の好適な光沢剤は、疎水性光沢剤、及び光沢剤４９である。光沢剤は、３〜３０μｍ、又は３μｍ〜２０μｍ、又は３〜１０μｍの範囲内の重量平均粒径を有する、微粉化粒子形態にすることができる。光沢剤は、α又はβ結晶形態とすることができる。
【００５１】
洗剤組成物は、好ましくは、次の構造
【化３】
0005890029.tif 000004
を有するα−結晶質形態のＣ．Ｉ．蛍光増白剤２６０を含む。
【００５２】
Ｃ．Ｉ．蛍光増白剤２６０は好ましくは大部分がα−結晶質形態である。大部分がα−結晶質形態であるとは、好ましくは少なくとも５０重量％、又は少なくとも７５重量％、又は更には少なくとも９０重量％、又は少なくとも９９重量％又は更には実質的に全てのＣ．Ｉ．蛍光増白剤２６０がα−結晶質形態であることを意味する。
【００５３】
増白剤は、典型的には、３〜３０μｍ、好ましくは３μｍ〜２０μｍ、及び最も好ましくは３〜１０μｍの重量平均一次粒径を有する微紛化粒子形態である。
【００５４】
洗剤組成物は、β−結晶質形態のＣ．Ｉ．蛍光増白剤２６０を含んでもよく、（ｉ）α−結晶質形態のＣ．Ｉ．蛍光増白剤２６０の、（ｉｉ）β−結晶質形態のＣ．Ｉ．蛍光増白剤２６０に対する、重量比率は、少なくとも０．１、好ましくは少なくとも０．６であり得る。
【００５５】
ＢＥ６８０８４７は、α−結晶質形態のＣ．Ｉ．蛍光増白剤２６０の製造プロセスに関する。
【００５６】
凝集補助剤
洗剤組成物は、凝集補助剤を更に含み得る。典型的には、組成物は、少なくとも０．３重量％の凝集助剤の洗剤組成物を含む。本組成物には凝集助剤を実質的に含有させなくてもよい。典型的には、凝集補助剤はポリマーである。典型的には凝集助剤は、エチレンオキシド、アクリルアミド、アクリル酸及びそれらの混合物よりなる群から選択されるモノマー単位を含むポリマーである。典型的には凝集助剤はポリエチレンオキシドである。典型的には凝集助剤は少なくとも１００，０００Ｄａ、特に１５０，０００Ｄａ〜５，０００，０００Ｄａ又は更に２００，０００Ｄａ〜７００，０００Ｄａの分子量を有する。
【００５７】
漂白剤
洗剤組成物には、漂白剤を含ませることもできる。あるいは、本組成物は、漂白剤を実質的に含まない場合があり、実質的に含まないとは、「意図的に添加されない」ことを意味する。好適な漂白剤としては、漂白活性化剤、有効酸素の供給源、予備形成された過酸、漂白触媒、還元漂白剤、及びこれらの任意の組み合わせが挙げられる。存在する場合には、漂白剤、又は漂白剤の任意の構成成分（例えば予備形成された過酸）は、カプセル化などしてコーティングすることができ、又は尿素若しくはシクロデキストリンを使用するなどしてクラスレート化することができる。
【００５８】
漂白活性化剤：好適な漂白活性化剤としては、テトラアセチルエチレンジアミン（ＴＡＥＤ）；ノナノイルオキシベンゼンスルホネート（ＮＯＢＳ）、カプリルアミドノナノイルオキシベンゼンスルホネート（ＮＡＣＡ−ＯＢＳ）、３，５，５−トリメチルヘキサノイルオキシベンゼンスルホネート（ＩＳＯ−ＮＯＢＳ）、ドデシルオキシベンゼンスルホネート（ＬＯＢＳ）、及びこれらの任意の混合物などの、オキシベンゼンスルホネート；カプロラクタム；グルコースペンタアセテート（ＰＡＧ）；ニトリル第四級アンモニウム；Ｎ−ノナノイル−Ｎ−メチルアセトアミドなどの、イミド漂白活性化剤；及びこれらの任意の混合物が挙げられる。
【００５９】
有効酸素の供給源：好適な有効酸素（ＡｖＯｘ）の供給源は、過炭酸塩及び／又は過ホウ酸塩などの、過酸化水素の供給源、例えば、過炭酸ナトリウムである。この過酸素の供給源は、炭酸塩、硫酸塩、ケイ酸塩、ホウケイ酸、又はこれらの混合塩を含むこれらの任意の混合物などの、被覆成分によって、少なくとも部分的に被覆するか、又は完全に被覆することができる。好適な過炭酸塩は、流動床プロセスによって、又は結晶化プロセスによって調製することができる。好適な過ホウ酸塩としては、過ホウ酸ナトリウム一水和物（ＰＢ１）、過ホウ酸ナトリウム四水和物（ＰＢ４）、及び発泡性過ホウ酸ナトリウムとしても既知の無水過ホウ酸ナトリウムが挙げられる。他の好適なＡｖＯｘの供給源としては、オキソンなどの、過流酸塩が挙げられる。別の好適なＡｖＯｘの供給源は、過酸化水素である。
【００６０】
予備形成された過酸：好適な予備形成された過酸は、Ｎ，Ｎ−フタロイルアミノ過酸化カプロン酸（ＰＡＰ）である。
【００６１】
漂白触媒：好適な漂白触媒としては、オキサジリジニウム系漂白触媒、遷移金属漂白触媒、及び漂白酵素が挙げられる。
【００６２】
オキサジリジニウム系漂白触媒：好適なオキサジリジニウム系漂白触媒は、次式：
【化４】
0005890029.tif 000005
式中、Ｒ１は、Ｈ、炭素原子を３〜２４個含む分岐鎖アルキル基、及び炭素原子を１〜２４個含む直鎖アルキル基からなる群から選択され、Ｒ１は、炭素原子を６〜１８個含む分岐鎖アルキル基、又は炭素原子を５〜１８個含む直鎖アルキル基とすることができ、Ｒ１は、２−プロピルヘプチル、２−ブチルオクチル、２−ペンチルノニル、２−ヘキシルデシル、ｎ−ヘキシル、ｎ−オクチル、ｎ−デシル、ｎ−ドデシル、ｎ−テトラデシル、ｎ−ヘキサデシル、ｎ−オクタデシル、イソ−ノニル、イソ−デシル、イソ−トリデシル、及びイソ−ペンタデシルからなる群から選択することができ、Ｒ２は、独立して、Ｈ、３〜１２個の炭素原子を含む分岐鎖アルキル基、及び１〜１２個の炭素原子を含む直鎖アルキル基からなる群から選択され、所望により、Ｒ２は、独立して、Ｈ及びメチル基から選択され、ｎは、整数０又は１である。
【００６３】
遷移金属漂白触媒：洗剤組成物には、典型的には、銅、鉄、チタン、ルテニウム、タングステン、モリブデン、及び／又はマンガンのカチオンを含む、遷移金属漂白触媒を含有させ得る。好適な遷移金属漂白触媒は、マンガン系遷移金属漂白触媒である。
【００６４】
蛍光増白剤
洗剤組成物には、淡い色をもつ製品を洗浄するための、蛍光増白剤などの成分を含有させることができる。存在する場合、洗濯洗剤成分としての使用に適切な任意の蛍光増白剤を本発明の組成物に使用することができる。最も一般的に使用される蛍光増白剤は、ジアミノスチルベン−スルホン酸誘導体、ジアリールピラゾリン誘導体及びビスフェニル−ジスチリル誘導体の部類に所属するものである。
【００６５】
代表的な蛍光増白剤は、Ｐａｒａｍｏｕｎｔ  Ｍｉｎｅｒａｌｓ  ａｎｄ  Ｃｈｅｍｉｃａｌｓ（Ｍｕｍｂａｉ，Ｉｎｄｉａ）から供給されるＰａｒａｗｈｉｔｅ  ＫＸ；Ｃｉｂａ−Ｇｅｉｇｙ  ＡＧ、（Ｂａｓｅｌ，Ｓｗｉｔｚｅｒｌａｎｄ）から供給されるＴｉｎｏｐａｌ（登録商標）ＤＭＳ及びＴｉｎｏｐａｌ（登録商標）ＣＢＳである。Ｔｉｎｏｐａｌ（登録商標）ＤＭＳは、４，４’−ビス−（２−モルホリノ−４−アニリノ−ｓ−トリアジン−６−イルアミノ）スチルベンジスルホネートの二ナトリウム塩である。Ｔｉｎｏｐａｌ（登録商標）ＣＢＳは、２，２’−ビス−（フェニル−スチリル）ジスルホネートの二ナトリウム塩である。
【００６６】
布地色相剤
洗剤組成物には、布地色相剤を含有させることもできる。蛍光増白剤は、少なくともいくらかの可視光線を放出する。対照的に、布地色調剤は可視光スペクトルの少なくとも一部を吸収するため、表面の色合いを変える。好適な布地色調剤としては、染料及び染料−粘土共役体が挙げられ、顔料も包含してよい。適切な染料としては、小分子染料及びポリマー染料が挙げられる。適切な小分子染料としては、色指数分類（Ｃｏｌｏｕｒ  Ｉｎｄｅｘ（Ｃ．Ｉ．））において、ダイレクト・ブルー、ダイレクト・レッド、ダイレクトバイオレット、アシッドブルー、アシッドレッド、アシッドバイオレット、ベーシックブルー、ベーシックバイオレット及びベーシックレッド、又はそれらの混合物に適合する染料からなる群から選択される小分子染料が挙げられる。
【００６７】
ポリマー分散剤
本発明の洗剤組成物には、追加のポリマー分散剤を含有させることもできる。含有させる場合、これらのポリマー分散剤は、洗剤組成物の重量に基づき、典型的には、最大約５重量％、典型的には、約０．２重量％〜約２．５重量％、より典型的には、約０．５重量％〜約１．５重量％の濃度である。好適なポリマー分散剤としては、ポリマーポリカルボン酸塩、置換（四級化及び酸化）ポリアミンポリマー、及びポリエチレングリコール、例えば：平均分子量約２，０００〜約１０，０００を有するアクリル酸系ポリマー；平均分子量約２，０００〜約１００，０００かつアクリル酸塩部分対マレイン酸塩部分比約３０：１〜約１：１のアクリル酸／マレイン酸系コポリマー；マレイン酸／アクリル酸／ビニルアルコールターポリマー；分子量約５００〜約１００，０００、典型的には、約１，０００〜約５０，０００、更には典型的には、約１，５００〜約１０，０００を有するポリエチレングリコール（ＰＥＧ）；並びに水溶性又は水分散性アルコキシル化ポリアルキレンアミン材料が挙げられる。
【００６８】
汚れ剥離ポリエステル系ポリマー
一実施形態では、洗剤組成物は、汚れ剥離ポリエステル系ポリマーを含む。好適な汚れ剥離ポリエステル系ポリマーは、以下の構造（Ｉ）、構造（ＩＩ）、又は構造（ＩＩＩ）のうちの１つによって定義される構造を有する。
【００６９】
（Ｉ）−［（ＯＣＨＲ１−ＣＨＲ２）ａ−Ｏ−ＯＣ−Ａｒ−ＣＯ−］ｄ
（ＩＩ）−［（ＯＣＨＲ３−ＣＨＲ４）ｂ−Ｏ−ＯＣ−ｓＡｒ−ＣＯ−］ｅ
（ＩＩＩ）−［（ＯＣＨＲ５−ＣＨＲ６）ｃ−ＯＲ７］ｆ
式中、
ａ、ｂ、及びｃは、１〜２００であり、
ｄ、ｅ、及びｆは、１〜５０であり、
Ａｒは、１，４−置換フェニレンであり、
ｓＡｒは、位置５をＳＯ３Ｍｅにより置換された、１，３−置換フェニレンであり；
Ｍｅは、Ｌｉ、Ｋ、Ｍｇ／２、Ｃａ／２、Ａｌ／３、アンモニウム、モノ−、ジ−、トリ−、若しくはテトラアルキルアンモニウム（アルキル基は、Ｃ１〜Ｃ１８アルキル又はＣ２〜Ｃ１０ヒドロキシアルキル）、又はこれらの任意の混合物であり；
Ｒ１、Ｒ２、Ｒ３、Ｒ４、Ｒ５、及びＲ６は、独立して、Ｈ、又はＣ１〜Ｃ１８  ｎ−若しくはイソ−アルキルから選択され；
Ｒ７は、直鎖若しくは分枝鎖Ｃ１〜Ｃ１８アルキル、又は直鎖若しくは分枝鎖Ｃ２〜Ｃ３０アルケニル、又は炭素原子を５〜９個有するシクロアルキル基、又はＣ８〜Ｃ３０アリール基、又はＣ６〜Ｃ３０アリールアルキル基である。好適なポリエステル汚れ放出ポリマーは、上記の式（ｉ）又は式（ｉｉ）の構造を有する、テレフタレートポリマーである。
【００７０】
好適なポリエステル汚れ放出ポリマーとしては、Ｒｅｐｅｌ−ｏ−ｔｅｘ  ＳＦ２（Ｒｈｏｄｉａ）などの、Ｒｅｐｅｌ−ｏ−ｔｅｘシリーズのポリマー、及び／又はＴｅｘｃａｒｅ  ＳＲＡ３００（Ｃｌａｒｉａｎｔ）などの、Ｔｅｘｃａｒｅシリーズのポリマーが挙げられる。
【００７１】
酵素
一実施形態では、洗剤組成物は酵素を含む。好適な酵素としては、プロテアーゼ、アミラーゼ、セルラーゼ、リパーゼ、キシログルカナーゼ、ペクチン酸リアーゼ、マンナナーゼ、漂白酵素、クチナーゼ、及びこれらの混合物が挙げられる。
【００７２】
酵素に関しては、括弧内に示される受け入れ番号及びＩＤは、Ｇｅｎｂａｎｋ、ＥＭＢＬ、及び／又はＳｗｉｓｓ−Ｐｒｏｔのデータベース内の項目番号を指す。いずれの突然変異体に関しても、標準の１文字のアミノ酸コードが、欠失を表す＊を伴って使用される。ＤＳＭが前に付く受け入れ番号は、Ｄｅｕｔｓｃｈｅ  Ｓａｍｍｌｕｎｇ  ｖｏｎ  Ｍｉｋｒｏｏｒｇａｎｉｓｍｅｎ  ｕｎｄ  Ｚｅｌｌｋｕｌｔｕｒｅｎ  ＧｍｂＨ（Ｍａｓｃｈｅｒｏｄｅｒ  Ｗｅｇ  １ｂ，３８１２４  Ｂｒｕｎｓｗｉｃｋ）（ＤＳＭＺ）に寄託される微生物を指す。
【００７３】
プロテアーゼ：本組成物は、プロテアーゼを含み得る。好適なプロテアーゼとしては、サブチリシン（ＥＣ  ３．４．２１．６２）などの、中性又はアルカリ性の微生物セリンプロテアーゼを含めた、メタロプロテアーゼ及び／又はセリンプロテアーゼが挙げられる。好適なプロテアーゼとしては、動物、植物又は微生物由来のものが挙げられる。一態様では、そのような好適なプロテアーゼは、微生物起源のものとすることができる。好適なプロテアーゼとしては、前述の好適なプロテアーゼの化学修飾又は遺伝子組み換えの突然変異体が挙げられる。一態様では、好適なプロテアーゼは、アルカリ性微生物プロテアーゼ又は／及びトリプシン型プロテアーゼなどのセリンプロテアーゼであり得る。好適な中性又はアルカリ性プロテアーゼの例としては、以下のものが挙げられる：
（ａ）バチルス・レンタス（Bacillus lentus）、バチルス・アルカロフィルス（Bacillus alkalophilus）（Ｐ２７９６３，ＥＬＹＡ＿ＢＡＣＡＯ）、枯草菌（Bacillus subtilis）、バチルス・アミロリケファシエンス（Bacillus amyloliquefaciens）（Ｐ００７８２，ＳＵＢＴ＿ＢＡＣＡＭ）、バチルス・プミルス（Bacillus pumilus）（Ｐ０７５１８）、及びバチルス・ギブソニィ（Bacillus gibsonii）（ＤＳＭ１４３９１）などの、枯草菌属（Bacillus）に由来するものを含めた、サブチリシン（ＥＣ  ３．４．２１．６２）。
【００７４】
（ｂ）フサリウムプロテアーゼ、及びセルモナス（Cellumonas）（Ａ２ＲＱＥ２）に由来するキモトリプシンプロテアーゼを含めた、トリプシン（例えば、ブタ由来又はウシ由来）などの、トリプシン型又はキモトリプシン型プロテアーゼ。
【００７５】
（ｃ）バチルス・アミロリケファシエンス（Bacillus amyloliquefaciens）に由来するもの（Ｐ０６８３２，ＮＰＲＥ＿ＢＡＣＡＭ）を含めた、メタロプロテアーゼ。
【００７６】
好適なプロテアーゼとしては、サブチリシン３０９（Ｐ２９６００）及び／又はＤＳＭ  ５４８３（Ｐ２９５９９）などの、バチルス・ギブソニィ（Bacillus gibsonii）若しくはバチルス・レンタス（Bacillus Lentus）に由来するものが挙げられる。
【００７７】
好適な市販のプロテアーゼ酵素としては、Ｎｏｖｏｚｙｍｅｓ  Ａ／Ｓ（Ｄｅｎｍａｒｋ）により、Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）、及びａＥｓｐｅｒａｓｅ（登録商標）の商標名で販売されるもの；Ｇｅｎｅｎｃｏｒ  Ｉｎｔｅｒｎａｔｉｏｎａｌにより、Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）、及びＰｕｒａｆｅｃｔ  ＯＸＰ（登録商標）の商標名で販売されるもの；Ｓｏｌｖａｙ  Ｅｎｚｙｍｅｓにより、Ｏｐｔｉｃｌｅａｎ（登録商標）、及びＯｐｔｉｍａｓｅ（登録商標）の商標名で販売されるもの；Ｈｅｎｋｅｌ／Ｋｅｍｉｒａより入手可能なもの、すなわち、ＢＬＡＰ（以下の突然変異体Ｓ９９Ｄ＋Ｓ１０１Ｒ＋Ｓ１０３Ａ＋Ｖ１０４Ｉ＋Ｇ１５９Ｓを有する、Ｐ２９５９９）、並びにＢＬＡＰ  Ｒ（Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（Ｓ３Ｔ＋Ｖ４Ｉ＋Ｖ２０５Ｉを有するＢＬＡＰ）及びＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）を含めた、その変異型（全てＨｅｎｋｅｌ／Ｋｅｍｉｒａ製）；及び花王製のＫＡＰ（突然変異体Ａ２３０Ｖ＋Ｓ２５６Ｇ＋Ｓ２５９Ｎを有する、Ｂａｃｉｌｌｕｓ  ａｌｋａｌｏｐｈｉｌｕｓ  ｓｕｂｔｉｌｉｓｉｎ）が挙げられる。
【００７８】
アミラーゼ：好適なアミラーゼは、細菌由来又は真菌由来のものを含めた、α−アミラーゼである。化学的又は遺伝子学的に改変された変異型（変異体）が含まれる。好適なアルカリ性α−アミラーゼは、バチルス・リケニフォルミス（Bacillus licheniformis）、バチルス・アミロリケファシエンス（Bacillus amyloliquefaciens）、バチルス・ステアロサーモフィルス（Bacillus stearothermophilus）、枯草菌属（Bacillus subtilis）、又は他のバチルス種（Bacillus sp.）、例えばバチルス種（Bacillus sp.）ＮＣＩＢ  １２２８９、ＮＣＩＢ  １２５１２、ＮＣＩＢ  １２５１３、ｓｐ  ７０７、ＤＳＭ  ９３７５、ＤＳＭ  １２３６８、ＤＳＭＺ  ｎｏ．１２６４９、ＫＳＭ  ＡＰ１３７８、ＫＳＭ  Ｋ３６、若しくはＫＳＭ  Ｋ３８などの、バチルス（Bacillus）の菌株に由来する。好適なアミラーゼとしては次のものが挙げられる。
【００７９】
（ａ）バチルス・リケニフォルミス（Bacillus licheniformis）（Ｐ０６２７８，ＡＭＹ＿ＢＡＣＬＩ）に由来するα−アミラーゼ、及びその変異型、特に、以下の位置１５、２３、１０５、１０６、１２４、１２８、１３３、１５４、１５６、１８１、１８８、１９０、１９７、２０２、２０８、２０９、２４３、２６４、３０４、３０５、３９１、４０８、及び４４４のうちの１つ以上で置換されている変異型。
【００８０】
（ｂ）ＡＡ５６０アミラーゼ（ＣＢＵ３０４５７，ＨＤ０６６５３４）、及びその変異型、特に、以下の位置２６、３０、３３、８２、３７、１０６、１１８、１２８、１３３、１４９、１５０、１６０、１７８、１８２、１８６、１９３、２０３、２１４、２３１、２５６、２５７、２５８、２６９、２７０、２７２、２８３、２９５、２９６、２９８、２９９、３０３、３０４、３０５、３１１、３１４、３１５、３１８、３１９、３３９、３４５、３６１、３７８、３８３、４１９、４２１、４３７、４４１、４４４、４４５、４４６、４４７、４５０、４６１、４７１、４８２、４８４のうちの１つ以上で置換され、また所望によりＤ１８３＊及びＧ１８４＊の欠失も含む、変異型。
【００８１】
（ｃ）バチルス（Bacillus）菌種７２２（ＣＢＵ３０４５３、ＨＤ０６６５２６）由来の野生型酵素と、少なくとも９０％の相同性を呈する変異型、特に、１８３及び１８４の位置での欠失を有する変異型。
【００８２】
好適な市販のα−アミラーゼは、Ｄｕｒａｍｙｌ（登録商標）、Ｌｉｑｕｅｚｙｍｅ（登録商標）、Ｔｅｒｍａｍｙｌ（登録商標）、Ｔｅｒｍａｍｙｌ  Ｕｌｔｒａ（登録商標）、Ｎａｔａｌａｓｅ（登録商標）、Ｓｕｐｒａｍｙｌ（登録商標）、Ｓｔａｉｎｚｙｍｅ（登録商標）、Ｓｔａｉｎｚｙｍｅ  Ｐｌｕｓ（登録商標）、Ｆｕｎｇａｍｙｌ（登録商標）、及びＢａｎ（登録商標）（Ｎｏｖｏｚｙｍｅｓ  Ａ／Ｓ）、Ｂｉｏａｍｙｌａｓｅ（登録商標）及びその変異型（Ｂｉｏｃｏｎ  Ｉｎｄｉａ  Ｌｔｄ．）、Ｋｅｍｚｙｍ（登録商標）ＡＴ  ９０００（Ｂｉｏｚｙｍ  Ｇｅｓ．Ｍ．Ｂ．Ｈ，Ａｕｓｔｒｉａ）、Ｒａｐｉｄａｓｅ（登録商標）、Ｐｕｒａｓｔａｒ（登録商標）、Ｏｐｔｉｓｉｚｅ  Ｈｔ  Ｐｌｕｓ（登録商標）、Ｅｎｚｙｓｉｚｅ（登録商標）、Ｐｏｗｅｒａｓｅ（登録商標）、及びＰｕｒａｓｔａｒ  Ｏｘａｍ（登録商標）、Ｍａｘａｍｙｌ（登録商標）（Ｇｅｎｅｎｃｏｒ  Ｉｎｔｅｒｎａｔｉｏｎａｌ  Ｉｎｃ．）並びにＫＡＭ（登録商標）（花王、日本）である。好適なアミラーゼは、Ｎａｔａｌａｓｅ（登録商標）、Ｓｔａｉｎｚｙｍｅ（登録商標）、及びＳｔａｉｎｚｙｍｅ  Ｐｌｕｓ（登録商標）である。
【００８３】
セルラーゼ：本組成物は、セルラーゼを含み得る。好適なセルラーゼとしては、細菌由来又は真菌由来のセルラーゼが挙げられる。化学修飾された変異体又は改質されたタンパク質変異体が含まれる。好適なセルラーゼとしては、バチルス（Bacillus）、シュードモナス（Pseudomonas）、ヒュミコラ（Humicola）、フザリウム（Fusarium）、チエラビア（Thielavia）、アクレモニウム（Acremonium）由来のセルラーゼ、例えば、ヒュミコラ・インソレンス（Humicola insolens）、ミセリオフソラ・サーモフィラ（Myceliophthora thermophila）、及びフザリウム・オキシスポラム（Fusarium oxysporum）から生成される、糸状菌セルラーゼが挙げられる。
【００８４】
市販のセルラーゼとしては、Ｃｅｌｌｕｚｙｍｅ（登録商標）及びＣａｒｅｚｙｍｅ（登録商標）（Ｎｏｖｏｚｙｍｅｓ  Ａ／Ｓ）、Ｃｌａｚｉｎａｓｅ（登録商標）及びＰｕｒａｄａｘ  ＨＡ（登録商標）（Ｇｅｎｅｎｃｏｒ  Ｉｎｔｅｒｎａｔｉｏｎａｌ  Ｉｎｃ．）、並びにＫＡＣ−５００（Ｂ）（登録商標）（花王）が挙げられる。
【００８５】
セルラーゼとしては、枯草菌属（Bacillus sp.）ＡＡ３４９のメンバーの内因性バクテリアポリペプチド及びこれらの混合物などといった、エンド−β−１，４グルカナーゼ活性（Ｅ．Ｃ．３．２．１．４）を示す微生物由来のエンドグルカナーゼが挙げられる。好適なエンドグルカナーゼは、商品名Ｃｅｌｌｕｃｌｅａｎ（登録商標）及びＷｈｉｔｅｚｙｍｅ（登録商標）（Ｎｏｖｏｚｙｍｅｓ  Ａ／Ｓ（Ｂａｇｓｖａｅｒｄ，Ｄｅｎｍａｒｋ））で販売されている。
【００８６】
本組成物は、１７ｋＤａ〜３０ｋＤａの分子量を有する、グリコシルヒドロラーゼのファミリー４５に属する洗浄セルラーゼ、例えば、Ｂｉｏｔｏｕｃｈ（登録商標）ＮＣＤ、ＤＣＣ、及びＤＣＬ（ＡＢ  Ｅｎｚｙｍｅｓ，Ｄａｒｍｓｔａｄｔ，Ｇｅｒｍａｎｙ）の商標名で販売されるエンドグルカナーゼを含み得る。
【００８７】
Ｗｈｉｔｅｚｙｍｅ（登録商標）などの、好適なセルラーゼはまた、キシログルカナーゼ活性も呈し得る。
【００８８】
リパーゼ：洗剤組成物にはリパーゼを含有させることもできる。好適なリパーゼとしては、細菌由来又は真菌由来のものが挙げられる。化学修飾された変異体又は改質されたタンパク質変異体が含まれる。有用なリパーゼの例としては、ヒュミコラ（Humicola）（別名サーモミセス（Thermomyces））からのリパーゼ、例えば、Ｈ．ラヌギノサ（H. lanuginosa）（Ｔ．ラヌギノサ（T. lanuginosus））からの、又はＨ．インソレンス（H. insolens）からのリパーゼ、シュードモナス（Pseudomonas）リパーゼ、例えば、Ｐ．アルカリゲネス（P. alcaligenes）からの、又はＰ．シュードアルカリゲネス（P. pseudoalcaligenes）、Ｐ．セパシア（P. cepacia）、Ｐ．スタッチェリ（P. stutzeri）、Ｐ．フルオレッセンス（P. fluorescens）、シュードモナス（Ｐｓｅｕｄｏｍｏｎａｓ）ＳＤ  ７０５株、Ｐ．ウィスコンシンシス（P. wisconsinensis）からのシュードモナス（Pseudomonas）リパーゼ、バチルス（Bacillus）リパーゼ、例えば、枯草菌（B. subtilis）、Ｂ．ステアロサーモフィルス（B. stearothermophilus）、又はＢ．プミルス（B. pumilus）からのバチルスリパーゼが挙げられる。
【００８９】
このリパーゼは、「第１サイクルのリパーゼ」とすることができ、所望により、Ｔ２３１Ｒ及びＮ２３３Ｒの突然変異体を含む、サーモミセス・ラヌギノサ（Thermomyces lanuginosus）由来の野生型リパーゼの変異型とすることができる。野生型配列は、Ｓｗｉｓｓ−ｐｒｏｔの受け入れ番号Ｓｗｉｓｓ−Ｐｒｏｔ  Ｏ５９９５２の、（子嚢菌（好温性糸状菌（Humicola lanuginosa））由来の）２６９個のアミノ酸（アミノ酸２３〜２９１）である。好適なリパーゼとしては、Ｎｏｖｏｚｙｍｅｓ（Ｂａｇｓｖａｅｒｄ，Ｄｅｎｍａｒｋ）製の、Ｌｉｐｅｘ（登録商標）、Ｌｉｐｏｌｅｘ（登録商標）、及びＬｉｐｏｃｌｅａｎ（登録商標）の商標名で販売のものが挙げられる。
【００９０】
本組成物は、野生型のアミノ酸と９０％超の相同性を有し、Ｔ２３１及び／又はＮ２３３、所望によりＴ２３１Ｒ及び／又はＮ２３３Ｒの置換（複数可）を含む、サーモミセス・ラヌギノサ（Thermomyces lanuginosa）（Ｏ５９９５２）リパーゼの変異型を含み得る。
【００９１】
キシログルカナーゼ：好適なキシログルカナーゼ酵素は、キシログルカン基質及び非晶質セルロース基質の双方に対しての酵素活性を有し得る。この酵素は、グリコシドヒドロラーゼ（ＧＨ）ファミリー５、１２、４４、又はファミリー７４から選択されるグリコシドヒドロラーゼであってよい。ＧＨファミリー４４から選択されるグリコシドヒドロラーゼが、特に好適である。ＧＨファミリー４４から選択される好適なグリコシドヒドロラーゼは、パエニバチルス・ポリキシマ（Paenibacillus polyxyma）（ＡＴＣＣ  ８３２）由来のＸＹＧ１００６グリコシドヒドロラーゼ、及びその変異型である。
【００９２】
ペクチン酸リアーゼ：好適なペクチン酸リアーゼは、Ｎｏｖｏｚｙｍｅｓ  Ａ／Ｓ（Ｂａｇｓｖａｅｒｄ，Ｄｅｎｍａｒｋ）製の、Ｐｅｃｔａｗａｓｈ（登録商標）、Ｐｅｃｔａｗａｙ（登録商標）、及びＸ−Ｐｅｃｔ（登録商標）の商標名で販売の、バチルス（Bacillus）由来のペクチン酸リアーゼの野生型若しくは変異型（ＣＡＦ０５４４１、ＡＡＵ２５５６８）のいずれかである。
【００９３】
マンナナーゼ：好適なマンナナーゼは、Ｎｏｖｏｚｙｍｅｓ  Ａ／Ｓ（Ｂａｇｓｖａｅｒｄ，Ｄｅｎｍａｒｋ）により、Ｍａｎｎａｗａｙ（登録商標）の商標名、及びＧｅｎｅｎｃｏｒ  Ｉｎｔｅｒｎａｔｉｏｎａｌ  Ｉｎｃ．（Ｐａｌｏ  Ａｌｔｏ，Ｃａｌｉｆｏｒｎｉａ）により、Ｐｕｒａｂｒｉｔｅ（登録商標）の商標名で、販売されている。
【００９４】
漂白酵素：好適な漂白酵素としては、酸化還元酵素、例えば、グルコースオキシダーゼ、コリンオキシダーゼ、又は炭水化物オキシダーゼなどの、オキシダーゼ；オキシゲナーゼ；カタラーゼ；ハロペルオキシダーゼ、クロロペルオキシダーゼ、ブロモペルオキシダーゼ、リグニンペルオキシダーゼ、グルコースペルオキシダーゼ、又はマンガンペルオキシダーゼのような、ペルオキシダーゼ；ジオキシゲナーゼ；又はラッカーゼ（フェノールオキシダーゼ、ポリフェノールオキシダーゼ）が挙げられる。好適な市販製品は、Ｎｏｖｏｚｙｍｅｓより、Ｇｕａｒｄｚｙｍｅ（登録商標）、及びＤｅｎｉｌｉｔｅ（登録商標）の商標名で販売されている。追加的な有機化合物、特に芳香族化合物を、漂白酵素と組み合わせることが有利な場合があリ、これらの化合物は、漂白酵素と相互作用して、酸化還元酵素の活性を増強する（増強剤）か、又は酸化酵素と汚れとの間の、典型的には大きく異なる酸化還元電位にわたる、電子流を促進する（媒介剤）。
【００９５】
他の好適な漂白酵素としては、エステル基質及び過酸素源からの、過酸の形成を触媒する、ペルヒドロラーゼが挙げられる。好適なペルヒドロラーゼとしては、ミコバクテリウム・セグマチス（Mycobacterium smegmatis）のペルヒドロラーゼの変異型、いわゆるＣＥ−７ペルヒドロラーゼの変異型、及びペルヒドロラーゼ活性を保有する野生型サブチリシン・カールスバーグ（subtilisin Carlsberg）の変異型が挙げられる。
【００９６】
酵素安定剤−種々の技法によって、洗剤で使用する酵素を安定化させることができる。本明細書に用いられる酵素は、カルシウムイオン及び／又はマグネシウムイオンを酵素に供給する、カルシウム及び／又はマグネシウムイオンの水溶性供給源を最終組成物中に存在させることによって安定化させることができる。プロテアーゼを含む水性組成物の場合、更に安定性を改善するために、タンパク質分解酵素の可逆性抑制剤（ホウ素化合物など）を添加することができる。
【００９７】
触媒金属錯体
本発明の洗剤組成物には、触媒金属錯体を含有させることもできる。存在する場合、含金属漂白触媒の１種類は、規定された漂白触媒活性の、銅、鉄、チタニウム、ルテニウム、タングステン、モリブデン、又はマンガン陽イオンなどの遷移金属陽イオン、亜鉛又はアルミニウム陽イオンなどの少量の漂白触媒活性又はまったく漂白触媒活性のない補助的な金属陽イオン、及び触媒及び補助金属陽イオンのために規定された安定性定数を有する隔離剤（sequestrate）、特にエチレンジアミン四酢酸、エチレンジアミンテトラ（メチレンホスホン酸）並びにそれらの水溶性塩を含む触媒システムである。このような触媒は、米国特許第４，４３０，２４３号に開示されている。
【００９８】
必要に応じて、本明細書の洗剤組成物は、マンガン化合物によって触媒することができる。このような化合物及び使用濃度は当該技術分野で周知であり、例えば、米国特許第５，５７６，２８２号に開示されるマンガン系触媒が挙げられる。
【００９９】
本明細書において有用なコバルト漂白触媒は既知であり、例えば、米国特許第５，５９７，９３６号、米国特許第５，５９５，９６７号に記載される。このようなコバルト触媒は、例えば米国特許第５，５９７，９３６号及び米国特許第５，５９５，９６７号に教示されているような、既知の手順によって容易に調製される。
【０１００】
本明細書の組成物は、また、配位子の遷移金属錯体（例えば、ビスピドン（bispidone）（国際公開第０５／０４２５３２（Ａ１）号）及び／又は大多環状剛性配位子（「ＭＲＬ」と略される）を適切に含んでもよい。実際問題として、限定するためではないが、本明細書の組成物及び方法は、水性洗浄媒体において、少なくとも１億分の１のオーダーの活性ＭＲＬ種を提供するように調整することができ、通常、約０．００５ｐｐｍ〜約２５ｐｐｍ、約０．０５ｐｐｍ〜約１０ｐｐｍ、又は更に約０．１ｐｐｍ〜約５ｐｐｍのＭＲＬを洗浄液中に提供する。
【０１０１】
本遷移金属漂白触媒における好適な遷移金属としては、例えばマンガン、鉄及びクロムが挙げられる。好適なＭＲＬとしては、５，１２−ジエチル−１，５，８，１２−テトラアザビシクロ［６．６．２］ヘキサデカンが挙げられる。
【０１０２】
適した遷移金属ＭＲＬは、既知の手順、例えば、国際公開第００／３２６０１号、及び米国特許第６，２２５，４６４号にて教示される手順によって容易に調製される。
【０１０３】
柔軟化系
本発明の洗剤組成物には、洗浄中に柔軟化を行うための、クレイなどの柔軟化剤を含有させることもできる。組成物には、帯電しているポリマー系布地柔軟化増進成分を追加して含有させることもできる。
【０１０４】
着色剤
本発明の洗剤組成物には、着色剤、好ましくは染料又は顔料を含有させることもできる。詳細には、好ましい染料は、洗濯サイクル中に酸化によって消失されるものである。染料が貯蔵中に分解しないことを保証するために、染料は４０℃までの温度で安定であることが好ましい。組成物中での染料の安定性は、組成物の水分含有量を確実にできるだけ低くすることによって向上させることができる。可能ならば、染料又は顔料は、織物繊維に結合するべきではなく、あるいは織物繊維と反応するべきではない。着色剤が織物繊維と反応してしまう場合、織物に付与される色は、洗濯液中に存在する酸化剤との反応によって消失されるべきである。これは、特に数回の洗浄を通した織物の着色を回避するためである。とりわけ好適な染料としては、限定はされないが、ＢＡＳＦからのＢａｓａｃｉｄ（登録商標）Ｇｒｅｅｎ  ９７０及びＡｌｂｉｏｎからのＭｏｎａｓｔｒａｌ  ｂｌｕｅが挙げられる。
【０１０５】
洗剤組成物
洗剤組成物は任意の好適な形態であってよい。本洗剤組成物は、例えば微粒子形態、典型的には易流動性微粒子形態であるが、本組成物は任意の液体又は固体形態であってもよい。固形形態の本組成物は、凝集体、粒塊、フレーク、押出品、棒、錠剤又はこれらの任意の組み合わせの形態であることができる。本固形組成物は、乾式混合、アグロメレーション、圧縮、スプレー乾燥、総造粒（pan-granulation）、球形化又はこれらのあらゆる組み合わせなどの方法によって製造されることができる。固形組成物は、典型的には、３００ｇ／Ｌ〜１，５００ｇ／Ｌ、典型的には５００ｇ／Ｌ〜１，０００ｇ／Ｌの嵩密度を有する。
【０１０６】
典型的には、本発明の洗剤組成物は、粒子形態であり、洗剤組成物は、アニオン性界面活性剤系を含む別個の粒子成分を含む。一実施形態では、複数の粒子に含まれる別個の粒子は、アニオン性界面活性剤系の成分を両方含む。別の実施形態では、複数の粒子に含まれる別個の粒子は、アルキルサルフェート系界面活性剤又はアルコールエトキシサルフェートナトリウム系界面活性剤を含む。
【０１０７】
本洗剤組成物は、更に液体、ゲル、ペースト、分散体、典型的にはコロイド状分散体又はそれらの任意の組み合わせの形態であってよい。液体組成物は環境条件（２０℃及び０．１ＭＰａ（１気圧））で２０ｓ−１のせん断率により測定された場合、典型的には５００ｍＰａ．ｓ〜３，０００ｍＰａ．ｓの粘度を有し、及び典型的には８００ｇ／Ｌ〜１３００ｇ／Ｌの密度を有する。組成物が分散体の形態であれば、典型的には１μｍ〜５，０００μｍ、典型的には、１μｍ〜５０μｍの体積平均粒径を有する。典型的には、コールターマルチサイザー（Coulter Multisizer）を使用して分散体の体積平均粒径を測定する。
【０１０８】
本洗剤組成物は溶媒を含み得る。適切な溶媒としては、水及び他の親油性流体である溶媒が挙げられる。好適な親油性流体の例としては、シロキサン、その他のシリコーン、炭化水素、グリコールエーテル、例えばグリセリンエーテルなどのグリセリン誘導体、ペルフルオロ化アミン、ペルフルオロ化及びハイドロフルオロエーテル溶媒、低揮発性の非フッ素化有機溶媒、ジオール溶媒、環境に優しいその他の溶媒、並びにこれらの混合物が挙げられる。
【０１０９】
洗剤組成物は錠剤のみでなく、組成物がポリビニルアルコールフィルムなどのフィルムに少なくとも部分的に封入され、典型的には、完全に封入される、投与単位パウチを包含する単位投与形態であることができる。単位投与パウチは、１つ以上の区画を含み得る。一実施形態では、アニオン性界面活性剤系の両成分は同じ区画に存在する。別の実施形態では、アルキルサルフェート系界面活性剤は、１つ目の区画に存在し、かつアルコールエトキシサルフェート系界面活性剤は２つ目の区画に存在する。異なる区画に存在する製品形態は、同一であっても又は異なっていてもよく、例えば、１つ目の区画は液体を含んでよく、かつ２つ目の区画は固体を含んでもよい。
【０１１０】
本洗剤組成物は、不溶性基材、例えば洗剤活性物質が含浸された不織布シートの形態であることもできる。
【０１１１】
洗剤組成物は、洗濯プロセス中に布地を洗濯及び／又は柔軟化することのできる洗濯洗剤組成物であってよい。本発明の一態様は、布地の洗濯法に関するものであり、方法は、本発明の洗剤組成物を水に加えて洗浄液を調製する工程と、布地を洗浄液に入れる工程と、を含む。典型的には、本洗剤組成物は、全自動洗濯機での使用向けに、あるいは手洗いでの使用向けに処方される。
【実施例】
【０１１２】
洗剤組成物の、相対的な油分除去能を評価した。粒状の洗剤組成物基剤は次の通りに調製した（表１）；
【表１】
0005890029.tif 000006
１  表２に記載のアニオン性界面活性剤系
一連のアニオン性界面活性剤系は、５種の異なる洗剤組成物を生成するため、表２に記載の通りに調製され、表１の基剤に加えられる。
【表２】
0005890029.tif 000007
サンプル１及び２は本発明の範囲内のものであり、サンプルＡ〜Ｃは比較例である。
【０１１３】
異なるエトキシル化度を有するサンプル中に存在するアニオン性界面活性剤種の割合は算出してあり、表３に参照することができる。割合の値は、アニオン性界面活性剤系の重量に基く割合である。
【表３】
0005890029.tif 000008
油分洗浄指数（動物性ハードファット基材から洗剤溶液への相対的な除去性）は、染料により着色した油分の、各洗剤サンプルによる除去を測定することにより得た。試験基材は、染料を含有させた動物性ハードファットによりコーティングした。この基材を、上述した洗剤サンプルのうちの１つを含有させた洗浄液に入れた。次に、この系を１０分間撹拌した。基材を添加する前に、分光計を使用して洗浄液を測定し、次に更に１０分間撹拌した。表３に記載の結果により、各サンプル対初期洗浄液からなる相対的な油分洗浄指数を示す。溶液中に存在する染料が多量になるほど、油分洗浄指数はより高くなり、より多量の油分が分解され、より多量の染料が洗浄液中に放出されたことが示される。
【表４】
0005890029.tif 000009
表４に見ることができる通り、サンプル１及び２（本発明に相当する）は、本発明に該当しないサンプルと比較してより高い油分除去指数を示した。
【０１１４】
消費者による洗浄時の、実際の洗剤性能に関係する相対的な油分除去性を確認するため、更に試験を実施して、洗濯機洗浄においてサンプル２及びサンプルＡの比較を実施した。次の条件：サンプル投与量１８．４ｇ、洗浄容量８Ｌ、洗浄温度２５℃、水硬度１２ｇｐｇ、洗浄時間２０分、すすぎ容量８Ｌ、すすぎ時間５分、合計投入量０．３５Ｋｇ；のもと、界面活性剤系のみを変え、試験を行った。
【０１１５】
口紅汚れを施した布片（界面活性剤反応性の油性染み）を洗濯機に入れ、相対的な汚れ除去性と、開始時の未洗浄状態での染みとをデジタルイメージング装置により測定した。この試験は、サンプル２対サンプルＡを使用して行い、各洗剤に関し、８つの異なる染み付き布片に対し繰り返した。表４は、口紅に関し、サンプル２及びサンプルＡ間には、統計的に優位な性能効果が観察されることを示す。３つの独立したパネルからなるパネル視認試験でも、明らかに認識され得る違いがあった。
【表５】
0005890029.tif 000010
表５は、サンプルＡと比較してサンプル２の方が、口紅染みに対する相対的な染み除去指数が高かったことを示す。この違いは、パネルを視認することで消費者により知覚され得ることが確認された。
【０１１６】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。